(57)【要約】【課題】顧客の来店頻度を向上させる。【解決手段】所定の歩数計３を携帯した顧客が、店舗２に設置されてあるデータ管理装置４を使って所定の処理を行うと、歩数に応じたポイントが付与される。該歩数計３の歩数データＤＮが古くなるとポイント付与の率が低くなるため、顧客は頻繁に店舗２に足を運ぶこととなり、その結果、顧客の来店頻度を向上させることができる。【選択図】図１
2012058895.tif 000002
【特許請求の範囲】
【請求項１】
所定の店舗の顧客により携帯されると共に、該顧客の歩数をカウントする歩数計と、
該店舗に設置されると共に、該歩数計のデータを管理するデータ管理装置と、
を備え、
前記歩数計は、
歩数をカウントする歩数カウント部と、
時間を計時する計時部と、
前記歩数カウント部によりカウントした単位期間毎の歩数データを、前記計時部にて計時した時間データに関連付けて時系列的に記憶する歩数記憶部と、
顧客ＩＤデータを記憶するＩＤ記憶部と、
前記店舗からのサービスを受けるためのポイントをポイントデータとして記憶するポイントデータ記憶部と、
近距離通信によるデータの送受信を行う歩数計側通信部と、
を有し、
前記データ管理装置は、
前記歩数計側通信部との間で近距離通信によるデータの送受信を行う管理装置側通信部と、
該管理装置側通信部を介して前記ＩＤ記憶部から入力される顧客ＩＤデータを認証するＩＤ認証部と、
該ＩＤ認証部による認証が行われた場合に、前記管理装置側通信部を介して前記歩数記憶部から入力される歩数データ及び時間データに基づいてポイント数を演算するポイント数演算部と、
該演算したポイント数のデータを前記管理装置側通信部を介して前記ポイントデータ記憶部に送信して該ポイントデータ記憶部のポイントデータを更新するポイントデータ更新部と、
を有し、
前記ポイント数演算部は、単位期間毎に区分けされた時系列的な複数の歩数データについては歩数が同じ場合には古い歩数データに比べて新しい歩数データのポイント数の方が多くなる傾向となるように演算し、かつ、少なくとも１つの歩数データに関しては歩数に応じてポイント数が多くなる傾向となるように演算する、
ことを特徴とするポイント付与システム。
【請求項２】
前記ポイント数演算部は、所定期間内の歩数データに関しては歩数に応じてポイント数が多くなる傾向となるように演算し、該所定期間よりも古い歩数データに関してはポイント数が０となるように演算する、
ことを特徴とする請求項１に記載のポイント付与システム。
【請求項３】
前記近距離通信はＦｅｌｉｃａ（登録商標）通信である、
ことを特徴とする請求項１又は２に記載のポイント付与システム。
【請求項４】
前記データ管理装置は、
前記歩数計から送信されてきた前記歩数データ、前記時間データ及び前記顧客ＩＤデータを記憶するデータ記憶部と、
ネットワークを介して所定のサーバーに接続するネットワーク接続部と、
を有し、
該データ記憶部に記憶されているデータが前記サーバーに送信されるように構成された、
ことを特徴とする請求項１乃至３のいずれか１項に記載のポイント付与システム。
【請求項５】
前記歩数計側通信部との間で近距離通信によるデータの送受信を行うバイタル側通信部と、
該バイタル側通信部を介して前記ＩＤ記憶部から入力される顧客ＩＤデータを認証するＩＤ認証部と、
該ＩＤ認証部による認証が行われた場合に、心拍数、血圧、体温、体重、体脂肪、ＢＭＩ、筋肉量、骨量及び血液の少なくとも１つを測定又は検査してバイタルデータを取得するバイタル測定部と、
を有するバイタル測定機器が前記店舗に配置され、
前記歩数計は、前記バイタル側通信部及び前記歩数計側通信部を介して入力される前記バイタルデータを記憶するバイタルデータ記憶部、を有する、
ことを特徴とする請求項１乃至４のいずれか１項に記載のポイント付与システム。
【請求項６】
前記バイタル測定部により取得されたバイタルデータ、及び前記ＩＤ記憶部から入力される顧客ＩＤデータが、前記バイタル測定機器からネットワークを介して所定のサーバーに送信されるように構成された、
ことを特徴とする請求項５に記載のポイント付与システム。
【請求項７】
前記データ管理装置は、顧客の来店頻度、歩数、健康情報、及び食事のレシピの少なくとも１つを表示する管理装置側表示部、を有する、
ことを特徴とする請求項１乃至６のいずれか１項に記載のポイント付与システム。
【請求項８】
前記店舗に配置されると共に、前記歩数計側通信部との間で近距離通信によるデータの送受信を行う店舗側通信装置と、
前記店舗に配置されると共に、該店舗側通信装置を介して前記歩数計から得たデータを表示するデータ表示装置と、
を備えたことを特徴とする請求項１乃至７のいずれか１項に記載のポイント付与システム。
【請求項９】
店舗からのサービスを受けるためのポイントを、歩数計を携帯して前記店舗に来た顧客に対して、該店舗に設置されたデータ管理装置により付与するポイント付与方法であって、
前記歩数計は、顧客ＩＤデータを記憶すると共に前記顧客の歩数をカウントし、該カウントして得た単位期間毎の歩数データを計時している時間データに関連付けて時系列的に記憶し、前記顧客ＩＤデータ、前記歩数データ及び前記時間データを近距離通信により前記データ管理装置に送信し、
前記データ管理装置は、前記歩数計が送信した前記顧客ＩＤデータを認証し、該認証が行われた場合に前記歩数データ及び前記時間データに基づいて、単位期間毎に区分けされた時系列的な複数の歩数データについては歩数が同じ場合には古い歩数データに比べて新しい歩数データのポイント数の方が多くなる傾向となるように演算すると共に、少なくとも１つの歩数データに関しては歩数に応じてポイント数が多くなる傾向となるように演算し、該演算したポイント数のデータを近距離通信により前記歩数計に送信して該歩数計が記憶しているポイントデータを更新する、
ことを特徴とするポイント付与方法。
【請求項１０】
前記データ管理装置は、前記歩数計から送信されてきた顧客ＩＤデータ、歩数データ、及び時間データを所定のサーバーにネットワークを介して送信する、
ことを特徴とする請求項９に記載のポイント付与方法。
【請求項１１】
前記店舗に設置されているバイタル測定機器は、前記歩数計が送信した前記顧客ＩＤデータを認証し、該認証が行われた場合に顧客の心拍数、血圧、体温、体重、体脂肪、ＢＭＩ、筋肉量、骨量及び血液の少なくとも１つを測定又は検査してバイタルデータを取得して近距離通信により前記歩数計に送信し、
前記歩数計は、該近距離通信により送信されてきたバイタルデータを記憶する、
ことを特徴とする請求項９又は１０に記載のポイント付与方法。
【請求項１２】
店舗からのサービスを受けるためのポイントを、歩数計を携帯して前記店舗に来た顧客に対して付与するためのコンピュータのプログラムであって、該コンピュータに、
前記歩数計との間で近距離通信によるデータの送受信を行う通信機能と、
該通信機能により前記歩数計から取得される顧客ＩＤデータを認証するＩＤ認証機能と、
単位期間毎に区分けされると共に時間データに関連付けられた時系列的な複数の歩数データを前記認証が行われた場合に前記通信機能により前記歩数計から取得し、該複数の歩数データについては歩数が同じ場合には古い歩数データに比べて新しい歩数データのポイント数の方が多くなる傾向となるように演算し、かつ少なくとも１つの歩数データに関しては歩数に応じてポイント数が多くなる傾向となるように演算するポイント数演算機能と、
該演算したポイント数のデータを前記通信機能を介して前記歩数計に送信して該歩数計のポイントデータを更新するポイントデータ更新機能と、
を実現させるプログラム。
【請求項１３】
前記通信機能により前記歩数計から取得される顧客ＩＤデータ、及び時間データに関連付けられた歩数データをネットワークを介して所定のサーバーに送信する機能、
を実現させる請求項１２に記載のプログラム。
【発明の詳細な説明】
【技術分野】
【０００１】
本発明は、顧客が携帯する歩数計を利用したポイント付与システム、ポイント付与方法及びプログラムに関する。
【背景技術】
【０００２】
近年、多くの店舗や会社（本明細書では、単に“店舗”とする）では、商品を購入した顧客に対してポイントを付与するというポイントサービスを実施し、顧客による継続的な利用を確保しようとしている（例えば、特許文献１参照。）。
【０００３】
確かに、上述のポイントサービスの場合には、新たに商品を購入する必要が生じた顧客は、既に獲得したポイントを利用しようとして、或いは、ポイントをさらに貯めようとして同じ店舗を利用する可能性は高くなるものの、商品購入の必要が特に無い顧客（商品購入の必要が全く無いか、商品購入の必要がそれほど高く無い顧客）を店舗に立ち寄らせるというきっかけにはなりにくい。
【先行技術文献】
【特許文献】
【０００４】
【特許文献１】特開２００９−１９９２６８号公報
【特許文献２】特開２０１０−８６１３５号公報
【発明の概要】
【発明が解決しようとする課題】
【０００５】
ところで、商品を陳列し販売している店舗においては、商品を購入する目的も無く店舗に立ち寄った顧客が、陳列された商品によって購買意欲が刺激されて商品を購入するということは日常良く見受けられることである。したがって、店舗側にしてみれば、商品を購入する目的を持つ顧客の来店頻度でだけでなく、商品を購入する目的を明確に持たない顧客の来店頻度を高めることも重要である。
【０００６】
しかしながら、そのような顧客の来店頻度（つまり、商品を購入する目的を明確に持たない顧客の来店頻度）の向上を目的としたポイントサービスで適切なものは提案されていなかった。
【０００７】
なお、店舗の利用頻度（来店頻度）を考慮してポイントを付与するというサービスが提案されている（例えば、特許文献２参照。）。かかるサービスでは、図５に示すように、ポイント付与率が利用頻度に応じて高くなるように設定されているが、この利用頻度とは、店舗で商品を購入した回数であって、商品を購入する必要がある場合には該店舗を利用するという動機付けにはなるものの、商品を購入する必要が特に無い場合に該店舗に足を運ぼうという動機付けになるものでは無いと考えられる。
【０００８】
本発明は、上述の問題を解消又は低減することができるポイント付与システムを提供することを目的とするものである。
【０００９】
また、本発明は、上述の問題を解消又は低減することができるポイント付与方法を提供することを目的とするものである。
【００１０】
さらに、本発明は、上述の問題を解消又は低減することができるプログラムを提供することを目的とするものである。
【課題を解決するための手段】
【００１１】
請求項１に係る発明は、図１に例示するものであって、所定の店舗（２）の顧客により携帯されると共に、該顧客の歩数をカウントする歩数計（３）と、
該店舗（２）に設置されると共に、該歩数計（３）のデータを管理するデータ管理装置（４）と、
を備え、
前記歩数計（３）は、
歩数をカウントする歩数カウント部（３０）と、
時間を計時する計時部（３１）と、
前記歩数カウント部（３０）によりカウントした単位期間毎の歩数データ（ＤＮ）を、前記計時部（３１）にて計時した時間データ（ＤＴ）に関連付けて時系列的に記憶する歩数記憶部（３２）と、
顧客ＩＤデータ（ＤＩＤ）を記憶するＩＤ記憶部（３３）と、
前記店舗（２）からのサービスを受けるためのポイントをポイントデータ（ＤＰ）として記憶するポイントデータ記憶部（３４）と、
近距離通信によるデータの送受信を行う歩数計側通信部（３５）と、
を有し、
前記データ管理装置（４）は、
前記歩数計側通信部（３５）との間で近距離通信によるデータの送受信を行う管理装置側通信部（４０）と、
該管理装置側通信部（４０）を介して前記ＩＤ記憶部（３３）から入力される顧客ＩＤデータ（ＤＩＤ）を認証するＩＤ認証部（４１）と、
該ＩＤ認証部（４１）による認証が行われた場合に、前記管理装置側通信部（４０）を介して前記歩数記憶部（３２）から入力される歩数データ（ＤＮ）及び時間データ（ＤＴ）に基づいてポイント数を演算するポイント数演算部（４２）と、
該演算したポイント数のデータを前記管理装置側通信部（４０）を介して前記ポイントデータ記憶部（３４）に送信して該ポイントデータ記憶部（３４）のポイントデータ（ＤＰ）を更新するポイントデータ更新部（４３）と、
を有し、
前記ポイント数演算部（４２）は、単位期間毎に区分けされた時系列的な複数の歩数データについては歩数が同じ場合には古い歩数データに比べて新しい歩数データのポイント数の方が多くなる傾向となるように演算し、かつ、少なくとも１つの歩数データに関しては歩数に応じてポイント数が多くなる傾向となるように演算することを特徴とするポイント付与システムに関する。
【００１２】
請求項２に係る発明は、請求項１に係る発明において、前記ポイント数演算部（４２）が、所定期間内の歩数データに関しては歩数に応じてポイント数が多くなる傾向となるように演算し、該所定期間よりも古い歩数データに関してはポイント数が０となるように演算することを特徴とする。
【００１３】
請求項３に係る発明は、請求項１又は２に係る発明において、前記近距離通信はＦｅｌｉｃａ（登録商標）通信であることを特徴とする。
【００１４】
請求項４に係る発明は、請求項１乃至３のいずれか１項に記載の発明において、前記データ管理装置（４）が、
前記歩数計（３）から送信されてきた前記歩数データ（ＤＮ）、前記時間データ（ＤＴ）及び前記顧客ＩＤデータ（ＤＩＤ）を記憶するデータ記憶部（４４）と、
ネットワーク（６）を介して所定のサーバー（７）に接続するネットワーク接続部（４５）と、
を有し、
該データ記憶部（４４）に記憶されているデータ（ＤＮ，ＤＴ，ＤＩＤ）が前記サーバー（７）に送信されるように構成されたことを特徴とする。
【００１５】
請求項５に係る発明は、請求項１乃至４のいずれか１項に記載の発明において、前記歩数計側通信部（３５）との間で近距離通信によるデータの送受信を行うバイタル側通信部（８０）と、
該バイタル側通信部（８０）を介して前記ＩＤ記憶部（３３）から入力される顧客ＩＤデータ（ＤＩＤ）を認証するＩＤ認証部（８１）と、
該ＩＤ認証部（８１）による認証が行われた場合に、心拍数、血圧、体温、体重、体脂肪、ＢＭＩ、筋肉量、骨量及び血液の少なくとも１つを測定又は検査してバイタルデータ（ＤＶ）を取得するバイタル測定部（８２）と、
を有するバイタル測定機器（８）、を備え、
前記歩数計（３）は、前記バイタル側通信部（８０）及び前記歩数計側通信部（３５）を介して入力される前記バイタルデータ（ＤＶ）を記憶するバイタルデータ記憶部（３６）、を有することを特徴とする。
【００１６】
請求項６に係る発明は、請求項５に係る発明において、前記バイタル測定部（８２）により取得されたバイタルデータ（ＤＶ）、及び前記ＩＤ記憶部（３３）から入力される顧客ＩＤデータ（ＤＩＤ）が、前記バイタル測定機器（８）からネットワーク（６）を介して所定のサーバー（７）に送信されるように構成されたことを特徴とする。
【００１７】
請求項７に係る発明は、請求項１乃至６のいずれか１項に記載の発明において、前記データ管理装置（４）が、顧客の来店頻度、歩数、健康情報、及び食事のレシピの少なくとも１つを表示する管理装置側表示部（４６）、を有することを特徴とする。
【００１８】
請求項８に係る発明は、請求項１乃至７のいずれか１項に記載の発明において、前記店舗（２）に配置されると共に、前記歩数計側通信部（３５）との間で近距離通信によるデータの送受信を行う店舗側通信装置（５０）と、
前記店舗（２）に配置されると共に、該店舗側通信装置（５０）を介して前記歩数計（３）から得たデータを表示するデータ表示装置（５１）と、を備えたことを特徴とする。
【００１９】
請求項９に係る発明は、店舗（２）からのサービスを受けるためのポイントを、歩数計（３）を携帯して前記店舗（２）に来た顧客に対して、該店舗（２）に設置されたデータ管理装置（４）により付与するポイント付与方法であって、
前記歩数計（３）は、顧客ＩＤデータ（ＤＩＤ）を記憶すると共に前記顧客の歩数をカウントし、該カウントして得た単位期間毎の歩数データ（ＤＮ）を計時している時間データ（ＤＴ）に関連付けて時系列的に記憶し、前記顧客ＩＤデータ（ＤＩＤ）、前記歩数データ（ＤＮ）及び前記時間データ（ＤＴ）を近距離通信により前記データ管理装置（４）に送信し、
前記データ管理装置（４）は、前記歩数計（３）が送信した前記顧客ＩＤデータ（ＤＩＤ）を認証し、該認証が行われた場合に前記歩数データ（ＤＮ）及び前記時間データ（ＤＴ）に基づいて、単位期間毎に区分けされた時系列的な複数の歩数データについては歩数が同じ場合には古い歩数データに比べて新しい歩数データのポイント数の方が多くなる傾向となるように演算すると共に、少なくとも１つの歩数データに関しては歩数に応じてポイント数が多くなる傾向となるように演算し、該演算したポイント数のデータを近距離通信により前記歩数計（３）に送信して該歩数計（３）が記憶しているポイントデータ（ＤＰ）を更新する、
ことを特徴とするポイント付与方法に関する。
【００２０】
請求項１０に係る発明は、請求項９に係る発明において、前記データ管理装置（４）が、前記歩数計（３）から送信されてきた顧客ＩＤデータ（ＤＩＤ）、歩数データ（ＤＮ）、及び時間データ（ＤＴ）を所定のサーバー（７）にネットワーク（６）を介して送信することを特徴とする。
【００２１】
請求項１１に係る発明は、請求項９又は１０に係る発明において、前記店舗（２）に設置されているバイタル測定機器（８）が、前記歩数計（３）が送信した前記顧客ＩＤデータ（ＤＩＤ）を認証し、該認証が行われた場合に顧客の心拍数、血圧、体温、体重、体脂肪、ＢＭＩ、筋肉量、骨量及び血液の少なくとも１つを測定又は検査してバイタルデータ（ＤＶ）を取得して近距離通信により前記歩数計（３）に送信し、
前記歩数計（３）は、該近距離通信により送信されてきたバイタルデータ（ＤＶ）を記憶することを特徴とする。
【００２２】
請求項１２に係る発明は、店舗（２）からのサービスを受けるためのポイントを、歩数計（３）を携帯して前記店舗（２）に来た顧客に対して付与するためのコンピュータのプログラムであって、該コンピュータに、
前記歩数計（３）との間で近距離通信によるデータの送受信を行う通信機能と、
該通信機能により前記歩数計（３）から取得される顧客ＩＤデータ（ＤＩＤ）を認証するＩＤ認証機能と、
単位期間毎に区分けされると共に時間データ（ＤＴ）に関連付けられた時系列的な複数の歩数データ（ＤＮ）を前記認証が行われた場合に前記通信機能により前記歩数計（３）から取得し、該複数の歩数データ（ＤＮ）については歩数が同じ場合には古い歩数データに比べて新しい歩数データのポイント数の方が多くなる傾向となるように演算し、かつ少なくとも１つの歩数データに関しては歩数に応じてポイント数が多くなる傾向となるように演算するポイント数演算機能と、
該演算したポイント数のデータを前記通信機能を介して前記歩数計（３）に送信して該歩数計（３）のポイントデータ（ＤＰ）を更新するポイントデータ更新機能と、
を実現させるプログラムに関する。
【００２３】
請求項１３に係る発明は、請求項１２に係る発明において、前記通信機能により前記歩数計（３）から取得される顧客ＩＤデータ（ＤＩＤ）、及び時間データ（ＤＴ）に関連付けられた歩数データ（ＤＮ）をネットワーク（６）を介して所定のサーバー（７）に送信する機能を実現させることを特徴とする。
【００２４】
なお、括弧内の番号などは、図面における対応する要素を示す便宜的なものであり、従って、本記述は図面上の記載に限定拘束されるものではない。
【発明の効果】
【００２５】
請求項１，２，３，８，９，１２に係る発明によれば、顧客は、歩数計を持って店舗に行けば新たなポイントを得ることができ、歩数が多ければ多いほど獲得できるポイントも増える。したがって、顧客の側にしてみれば、歩くことによってポイントが貯まっていくという期待感が無意識の内に生じることとなり、また、自ら体を動かして得た歩数を無価値にせずに実際のポイントに交換したいという心理が働き、その結果、商品を購入する目的が特に無い場合でも該店舗に足を運ぶこととなる。そして、店舗の側にしてみれば、商品を購入する目的が特に無い顧客の来店頻度を高めることができるという効果が得られる。なお、歩数が同じ場合には古い歩数データに比べて新しい歩数データのポイント数の方が多くなる傾向となるようにポイントが付与されるので、顧客はできるだけ頻繁に店舗に足を運ぶこととなり、該顧客の来店頻度が高まることになる。
【００２６】
請求項４，１０，１３に係る発明によれば、サーバーにて顧客の情報を適切に管理でき、そのような管理を望む顧客の来店頻度を向上させることができる。
【００２７】
請求項５，１１に係る発明によれば、商品購入の目的が無くてもバイタルデータの取得を目的として顧客が気軽に店舗に足を運ぶこととなり、店舗側からすれば顧客の来店頻度の向上を図ることができる。
【００２８】
請求項６に係る発明によれば、各顧客のバイタルデータが適切に管理されるので、自身の健康に関心のある顧客は店舗に頻繁に足を運ぶこととなり、顧客の来店頻度の向上を図ることができる。
【００２９】
請求項７に係る発明によれば、顧客は管理装置側表示部により健康に関する種々の情報を知ることができるので、顧客は店舗に足を運ぶこととなり、店舗側からすれば顧客の来店頻度の向上を図ることができる。
【図面の簡単な説明】
【００３０】
【図１】図１は、本発明に係るポイント付与システムの構成の一例を示すブロック図である。
【図２】図２は、歩数データ及び時間データを説明するための図である。
【図３】図３は、ポイント付与方法の一例を説明するための図である。
【図４】図４は、ポイント付与方法の一例を説明するための図である。
【図５】図５は、従来のポイント付与方法の一例を説明するための図である。
【発明を実施するための形態】
【００３１】
以下、図１乃至図４に沿って、本発明の実施の形態について説明する。
【００３２】
本発明に係るポイント付与システムは、図１に符号１で例示するものであって、
・  所定の店舗（具体的には、ドラッグストア）２の顧客により携帯されると共に、該顧客の歩数をカウントする歩数計３と、
・  該店舗２に設置されると共に、該歩数計３のデータを管理するデータ管理装置４と、
を備えている。
【００３３】
このうちの歩数計３は、
・  歩数をカウントする歩数カウント部３０と、
・  時間を計時する計時部３１と、
・  該歩数カウント部３０によりカウントした単位期間毎の歩数データＤＮを、前記計時部３１にて計時した時間データＤＴに関連付けて時系列的に記憶する歩数記憶部３２と、
・  顧客ＩＤデータＤＩＤを記憶するＩＤ記憶部３３と、
・  前記店舗からのサービスを受けるためのポイントをポイントデータとして記憶するポイントデータ記憶部３４と、
・  近距離通信によるデータの送受信を行う歩数計側通信部３５と、
を有している。ここで、上述の「単位期間」とは、例えば、時間や日や週などをいい、「カウントした単位期間毎の歩数データ」とは、各単位期間に歩いた歩数（各単位時間毎のそれぞれの歩数合計）をいい、「カウントした単位期間毎の歩数データＤＮを、前記計時部３１にて計時した時間データＤＴに関連付けて時系列的に記憶する」とは、各単位期間に歩いた歩数（各単位時間毎のそれぞれの歩数合計）をその時間データＤＴと共に記憶することをいう。図２は、その一例を示したものであり、横軸に時間データとして日付（６月１日〜６月１０日）を取り、縦軸に歩数を取ったものである。この図においては、６月１０日を来店日当日とし、
・  来店日当日の歩数データをＤＮｉとし、
・  前日の歩数データをＤＮｉ−１とし、
・  前々日の歩数データをＤＮｉ−２
……というようにしている。そして、これらの毎日の歩数データＤＮｉ，ＤＮｉ−１，…が前記歩数カウント部３０によってカウントされ、前記歩数記憶部３２によって日付と共に記憶されることとなる。さらに、「近距離通信」とは、有線又は無線による通信をいい、後者の例としては、例えば、ＴｙｐｅＡやＴｙｐｅＢと呼ばれる無線通信、Ｆｅｌｉｃａ（登録商標）通信、Ｂｌｕｅｔｏｏｔｈ（登録商標）通信、赤外線通信等を挙げることができる。したがって、前記歩数計側通信部３５とは、前記いずれかの通信を行うためのユニットをいう。なお、富士通（株）製の携帯電話（例えば、ｄｏｃｏｍｏ  ＳＴＹＬＥ  ｓｅｒｉｅｓ  Ｆ−０８Ａ）は、
・  歩数計の機能と、
・  近距離通信の機能（赤外線通信の機能や、ＦｅｌｉＣａ（登録商標）通信の機能）と、
を備えているので、上述の歩数計３として使用することができる。一方、上述の「前記店舗からのサービスを受けるためのポイント」とは、例えば、
・  該店舗にて商品を購入する際に料金に変換できるようなポイント
・  該店舗が用意した景品に交換できるようなポイント
等をいう。
【００３４】
他方の前記データ管理装置４は、
・  前記歩数計側通信部３５との間で近距離通信によるデータの送受信を行う管理装置側通信部４０と、
・  該管理装置側通信部４０を介して前記ＩＤ記憶部３３から入力される顧客ＩＤデータＤＩＤを認証するＩＤ認証部４１と、
・  該ＩＤ認証部４１による認証が行われた場合に、前記管理装置側通信部４０を介して前記歩数記憶部３２から入力される歩数データＤＮ及び時間データＤＴに基づいてポイント数を演算するポイント数演算部４２と、
・  該演算したポイント数のデータＤＰ’を前記管理装置側通信部４０を介して前記ポイントデータ記憶部３４に送信して該ポイントデータ記憶部３４のポイントデータを更新するポイントデータ更新部４３と、
を有している。なお、前記管理装置側通信部４０とは、有線又は無線による近距離通信を行うためのユニットをいう。本発明によれば、前記ポイント数演算部４２はポイント数（新たに付与すべきポイント数）を演算し、前記ポイントデータ更新部４３は、該演算したポイント数のデータＤＰ’を送信して該ポイントデータ記憶部３４のポイントデータを更新するので、顧客は、該ポイント数演算部４２が演算した数のポイントを得ることができる。
【００３５】
そして、前記ポイント数演算部４２は、単位期間毎に区分けされた時系列的な複数の歩数データの内、少なくとも１つの歩数データに関しては歩数に応じてポイント数が多くなる傾向となるように演算するように構成されている。ここで、「歩数に応じてポイント数が多くなる傾向となるように」とは、１つの歩数データについてポイント数を演算する場合に、付与するポイントが歩数に応じて変動するようにし、歩数が少なければ少ないポイントを付与し、歩数が多ければ多いポイントを付与するという意味である。ただ、歩数に応じてポイント数が多くなる「傾向」であれば良く、図３(a) に示すように、付与されるポイント数が歩数に応じて連続的に増加する関係にある場合に限らず、図３(b) に示すようにポイント数が変化しない区間が存在したり、図３(c)
に示すようにポイント数が一時的に減るような区間が存在したりするものも、本発明の範囲に含まれるものとする。なお、図３(a) 〜(c) にてポイント数が歩数に応じて増加する範囲においては、ポイント数は歩数に比例した関係で増加しているが、もちろんこれに限られるものではなく、ポイント数が歩数に応じて増加するのであれば比例関係になくても良い（例えば、二次関数的や三次関数的に増加するような関係であっても良い）。なお、このように「歩数に応じてポイント数が多くなる傾向となるような演算」は、全ての歩数データではなく少なくとも１つの歩数データに対して行えば足りる。例えば、図２に示す例において、来店当日を含む３日間の歩数データＤＮｉ，ＤＮｉ−１，ＤＮｉ−２については例えば図３(a)
に示すような関係で歩数に応じたポイント数を付与することとし、それ以前の歩数データＤＮｉ-3，ＤＮｉ−4，…についてはそのようなポイント付与は行わなくても良い。或いは、来店直前１週間の歩数データのうち、一番歩数の多い日の歩数データ（図２の場合は６月４日の歩数データＤＮｉ−６）についてのみ、歩数に応じたポイント数を付与するようにしても良い。
【００３６】
一方、前記ポイント数演算部４２は、単位期間毎に区分けされた時系列的な複数の歩数データについては歩数が同じ場合には古い歩数データに比べて新しい歩数データのポイント数の方が多くなる傾向となるように演算するようになっている。例えば、図２中の２つの歩数データＤＮｉ，ＤＮｉ−１を例に挙げると、歩数データＤＮｉが「新しい歩数データ」であり、歩数データＤＮｉ−１が「古い歩数データ」であるから、これらの２つの歩数データＤＮｉ，ＤＮｉ−１に関しては、歩数が同じ場合には歩数データＤＮｉについて付与されるポイント数は、歩数データＤＮｉ−１について付与されるポイント数よりも多くなるように演算されることとなる。例えば、図４に示すように、新しい方の歩数データＤＮｉに関してＡＮｉの関係でポイントを付与し、古い方の数データＤＮｉ−１に関してＡＮｉ−１の関係でポイントを付与するようにして、歩数が同じ場合には古い歩数データに比べて新しい歩数データのポイント数の方が多くなるように設定すると良い。
【００３７】
この場合、前記ポイント数演算部４２は、所定期間内の歩数データに関しては歩数に応じてポイント数が多くなる傾向となるように演算し、該所定期間よりも古い歩数データに関してはポイント数が０となるように演算するようにすると良い。ここで、上述の「所定の期間」とは、例えば、来店直前の所定の期間（例えば、来店直前の３日間とか１週間）を意味する。つまり、
・  該所定の期間の歩数データに対しては付与すべきポイント数を演算して該ポイントを付与し、
・  該所定の期間よりも古い歩数データに対してはポイント数は演算せず、ポイントも付与しない
ようにすると良い。なお、該所定の期間は店舗側が自由に設定できるようにすると良い。
【００３８】
ところで、本発明によれば、前記歩数計３の歩数に応じてポイントが付与されるが、商品を購入した場合にもポイントが付与されるようにしても良い。
【００３９】
本発明によれば、顧客は、歩数計３を持って店舗２に行けば新たなポイントを得ることができ、歩数が多ければ多いほど獲得できるポイントも増える。したがって、顧客の側にしてみれば、歩くことによってポイントが貯まっていくという期待感が無意識の内に生じることとなり、また、自ら体を動かして得た歩数を無価値にせずに実際のポイントに交換したいという心理が働き、その結果、商品を購入する目的が特に無い場合でも該店舗に足を運ぶこととなる。そして、店舗の側にしてみれば、商品を購入する目的が特に無い顧客の来店頻度を高めることができるという効果が得られる。なお、歩数が同じ場合には古い歩数データに比べて新しい歩数データのポイント数の方が多くなる傾向となるようにポイントが付与されるので、顧客はできるだけ頻繁に店舗に足を運ぶこととなり、該顧客の来店頻度が高まることになる。
【００４０】
なお、本発明におけるポイントは、顧客が歩数計３を持って店舗２に行かなければ付与されないが、付与が予想されるポイント数（前記データ管理装置４からの新たな付与が予想される予想ポイント数）ＤＰ’’をいつでも（つまり、店舗２に行かなくても）リアルタイムで知ることができるようにしても良い。すなわち、該歩数計３の側にポイント数演算部３７を設けておいて、該ポイント数演算部３７が所定の変換式又は変換テーブルと前記歩数記憶部３２からのデータＤＮ，ＤＴに基づいて前記予想ポイント数ＤＰ’’を演算し、その予想ポイント数ＤＰ’’が歩数計側表示部３８に表示されるようにすると良い。その場合、該歩数計３には表示切り替え用スイッチ（不図示）を設けておいて、前記歩数計側表示部３８に歩数を表示させたり、既に獲得したポイント数ＤＰ’を表示させたり、前記予想ポイント数ＤＰ’’を表示させたりするようにすると良い。また、前記ポイント数演算部３７の変換式又は変換テーブルは、前記データ管理装置４と近距離通信を行う際に、該装置側のポイント数演算部４２の変換式又は変換テーブルと一致させるようにすると良い。
【００４１】
一方、各店舗２（例えば、各店舗２のレジ５）には、
・  前記歩数計側通信部３５との間で近距離通信によるデータの送受信を行う店舗側通信装置５０と、
・  該店舗側通信装置５０を介して前記歩数計３から得たデータを表示するデータ表示装置５１と、
を設けておき、各顧客が保有しているポイント数を知ることができるようにすると良い。また、顧客がポイントを使用した場合には、そのデータが前記店舗側通信装置５０から歩数計３の側に送信され、ポイントが減算されるようにすると良い。さらに、後述のバイタルデータ記憶部３６から顧客のバイタルデータＤＶを受信して前記データ表示装置５１に表示するようにしても良い。そのようにした場合には、店舗側は該顧客のバイタルデータＤＶを参考にしながら適切な情報及び商品を提供することができる。なお、前記店舗側通信装置５０とは、有線又は無線による近距離通信を行うためのユニットをいう。
【００４２】
一方、前記データ管理装置４に、
・  前記歩数計３から送信されてきた前記歩数データＤＮ、前記時間データＤＴ及び前記顧客ＩＤデータＤＩＤ等を記憶するデータ記憶部４４と、
・  ネットワーク６を介して所定のサーバー７に接続するネットワーク接続部４５と、
を設けておいて、該データ記憶部４４に記憶されているデータＤＮ，ＤＴ，ＤＩＤが前記サーバー７に送信されるように構成しても良い。そのようにした場合には、該サーバー７にて顧客の情報を適切に管理でき、そのような管理を望む顧客の来店頻度を向上させることができる。
【００４３】
また、心拍数、血圧、体温、体重、体脂肪、ＢＭＩ、筋肉量、骨量及び血液の少なくとも１つを測定又は検査するバイタル測定機器８を前記店舗２に設置しておくと良い。そして、該バイタル測定機器８には、
・  前記歩数計側通信部３５との間で近距離通信によるデータの送受信を行うバイタル側通信部８０と、
・  該バイタル側通信部８０を介して前記ＩＤ記憶部３３から入力される顧客ＩＤデータＤＩＤを認証するＩＤ認証部８１と、
・  該ＩＤ認証部８１による認証が行われた場合に、心拍数、血圧、体温、体重、体脂肪、ＢＭＩ、筋肉量、骨量及び血液の少なくとも１つを測定又は検査してバイタルデータＤＶを取得するバイタル測定部８２と、
を設け、前記歩数計３には、
・  前記バイタル側通信部８０及び前記歩数計側通信部３５を介して入力される前記バイタルデータＤＶを記憶するバイタルデータ記憶部３６
を設けておいて、前記バイタル測定部８２にて取得したバイタルデータＤＶが前記歩数計３のバイタルデータ記憶部３６に記憶されるようにすると良い。ここで、前記バイタル側通信部８０とは、有線又は無線による近距離通信を行うためのユニットをいう。また、前記バイタル測定機器８としては、前記バイタル側通信部８０を備えた血圧計や体組成計や体温計や血液検査機（例えば、シスメックス（株）製などのハンディタイプの血液検査機）等を挙げることができる。かかる場合、顧客が該バイタル測定機器８のバイタル側通信部８０を使ってＩＤ認証を行えば、例えば無料で自己のバイタルデータＤＶを測定でき、血圧や中性脂肪やコレステロールなどを知ることができ、体重と関連付けることでメタボ検診を行うことも可能となる。したがって、商品購入の目的が無くてもバイタルデータＤＶの取得を目的として顧客が気軽に店舗に足を運ぶこととなり、店舗側からすれば顧客の来店頻度の向上を図ることができる。
【００４４】
ところで、前記バイタル測定部８２により取得されたバイタルデータＤＶ、及び前記ＩＤ記憶部３３から入力される顧客ＩＤデータＤＩＤが、前記バイタル測定機器８からネットワーク６を介して所定のサーバー７に送信されるように構成しておくと良い。そして、該サーバー７は、各顧客のバイタルデータＤＶを管理し、
・  歩数データ（日にち毎の歩数や、最近１週間の歩数や、最近１ヶ月の歩数や、最近半年の歩数など）や、
・  バイタルデータＤＶ
を各顧客の個人ページにそれらを表示するようにしても良い。そのようにした場合には、各顧客のバイタルデータＤＶが適切に管理されるので、自身の健康に関心のある顧客は店舗に頻繁に足を運ぶこととなり、顧客の来店頻度の向上を図ることができる。また、サーバー側にしてみれば、多数の顧客の健康情報を集中管理して地域別や性別や年齢別の健康情報を抽出することができ、店舗（ドラッグストア）２側にしてみれば、その店舗２が所在する地域の健康情報を把握することができ、販売促進のための貴重な情報を得ることができる。この場合、
・  ネットワーク６を介して該サーバー７に接続するネットワーク接続部８３を前記バイタル測定機器８に設けておいて、該バイタル測定機器８から該サーバー７にバイタルデータＤＶ及び顧客ＩＤデータＤＩＤを送るようにしても、或いは、
・  そのようなネットワーク接続部８３を前記バイタル測定機器８には設けておかないで、該バイタル測定機器８から前記データ管理装置４を介して該サーバー７にバイタルデータＤＶ及び顧客ＩＤデータＤＩＤを送るようにしても、
どちらでも良い。
【００４５】
一方、前記データ管理装置４には管理装置側表示部４６（タッチパネル式の液晶パネルやプリンター等）を設けておいて、該表示部４６には、
・  その顧客の来店頻度や、
・  歩数（例えば、最近１週間の歩数の合計や、最近１ヶ月の歩数の合計や、最近半年間の歩数の合計）や、
・  歩数の履歴や、
・  健康情報（上述のバイタルデータＤＶ）や、
・  食事のレシピ（例えば、高血圧気味の顧客専用の１週間分のレシピや、コレステロール低減のための１週間分のレシピ等）
の少なくとも１つを表示するようにしても良い。そのようにした場合には、顧客は管理装置側表示部４６により健康に関する種々の情報を知ることができるので、顧客は店舗に足を運ぶこととなり、店舗側からすれば顧客の来店頻度の向上を図ることができる。
【００４６】
ところで、前記歩数計３の歩数計側通信部３５は前記データ管理装置４とだけでなく携帯電話９とも近距離通信ができるようにすると良い。例えば、前記データ管理装置４とはＦｅｌｉＣａ（登録商標）通信を行い、前記携帯電話９とは赤外線通信を行うようにすると良い。そして、該歩数計側通信部３５から該携帯電話９には、
・  前記サーバーの健康サイトのアドレス情報や、
・  顧客ＩＤデータＤＩＤ
等が送信されるようにすると良い。そのようにした場合には、パソコンを使わなくても、顧客は該アドレス情報及び顧客ＩＤデータＤＩＤを使って携帯電話９から所定の健康サイトに簡単にアクセスすることができる。そして、該健康サイトでは、上述の顧客ＩＤデータＤＩＤや、予め決めておいたパスワードを入力して個人ページに入り、
・  自己のバイタルデータＤＶの履歴や、
・  現在保有しているポイント数や、
・  一般的な健康情報や、
・  食事レシピ
等を見ることができるようにすると良い。
【００４７】
また、本発明に係るポイント付与方法は、店舗２からのサービスを受けるためのポイントを、歩数計３を携帯して前記店舗２に来た顧客に対して、該店舗２に設置されたデータ管理装置４により付与する方法であり、前記歩数計３は、
・  顧客ＩＤデータＤＩＤを記憶すると共に前記顧客の歩数をカウントし、
・  該カウントして得た単位期間毎の歩数データＤＮを計時している時間データＤＴに関連付けて時系列的に記憶し、
・  前記顧客ＩＤデータＤＩＤ、前記歩数データＤＮ及び前記時間データＤＴを近距離通信により前記データ管理装置４に送信する、
ようになっている。また、前記データ管理装置４は、
・  前記歩数計３が送信した前記顧客ＩＤデータＤＩＤを認証し、該認証が行われた場合に前記歩数データＤＮ及び前記時間データＤＴに基づいて、単位期間毎に区分けされた時系列的な複数の歩数データについては歩数が同じ場合には古い歩数データに比べて新しい歩数データのポイント数の方が多くなる傾向となるように演算すると共に、少なくとも１つの歩数データに関しては歩数に応じてポイント数が多くなる傾向となるように演算し、
・  該演算したポイント数のデータを近距離通信により前記歩数計３に送信して該歩数計３が記憶しているポイントデータを更新する、
ようになっている。この場合、前記データ管理装置４は、前記歩数計３から送信されてきた顧客ＩＤデータＤＩＤ、歩数データＤＮ、及び時間データＤＴを所定のサーバー７にネットワーク６を介して送信するようにすると良い。
【００４８】
さらに、前記店舗２に設置されているバイタル測定機器８は、前記歩数計３が送信した前記顧客ＩＤデータＤＩＤを認証し、該認証が行われた場合に顧客の心拍数、血圧、体温、体重、体脂肪、ＢＭＩ、筋肉量、骨量及び血液の少なくとも１つを測定又は検査してバイタルデータＤＶを取得して近距離通信により前記歩数計３に送信し、前記歩数計３は、該近距離通信により送信されてきたバイタルデータＤＶを記憶するようにすると良い。
【００４９】
一方、本発明に係るコンピュータのプログラムは、店舗２からのサービスを受けるためのポイントを、歩数計３を携帯して前記店舗２に来た顧客に対して付与するためのプログラムであって、該コンピュータに、
・  前記歩数計３との間で近距離通信によるデータの送受信を行う通信機能と、
・  該通信機能により前記歩数計３から取得される顧客ＩＤデータＤＩＤを認証するＩＤ認証機能と、
・  単位期間毎に区分けされると共に時間データＤＴに関連付けられた時系列的な複数の歩数データＤＮを前記認証が行われた場合に前記通信機能により前記歩数計から取得し、該複数の歩数データについては歩数が同じ場合には古い歩数データに比べて新しい歩数データのポイント数の方が多くなる傾向となるように演算し、かつ少なくとも１つの歩数データに関しては歩数に応じてポイント数が多くなる傾向となるように演算するポイント数演算機能と、
・  該演算したポイント数のデータを前記通信機能を介して前記歩数計３に送信して該歩数計３のポイントデータを更新するポイントデータ更新機能と、
を実現させるプログラムである。
【００５０】
この場合、前記コンピュータに、
・  前記通信機能により前記歩数計３から取得される顧客ＩＤデータＤＩＤ、及び時間データＤＴに関連付けられた歩数データＤＮをネットワーク６を介して所定のサーバー７に送信する機能、
を実現させるようにすると良い。
【符号の説明】
【００５１】
１            ポイント付与システム
２            店舗
３            歩数計
４            データ管理装置
６            ネットワーク
７            サーバー
８            バイタル測定機器
３０          歩数カウント部
３２          歩数記憶部
３３          ＩＤ記憶部
３４          ポイントデータ記憶部
３５          歩数計側通信部
３６          バイタルデータ記憶部
４０          管理装置側通信部
４２          ポイント数演算部
４３          ポイントデータ更新部
４４          データ記憶部
４５          ネットワーク接続部
４６          管理装置側表示部
５０          店舗側通信装置
５１          データ表示装置
８０          バイタル側通信部
８２          バイタル測定部
８３          ネットワーク接続部
ＤＩＤ          顧客ＩＤデータ
ＤＮ          歩数データ
ＤＰ          ポイントデータ
ＤＴ          時間データ
ＤＶ          バイタルデータ
【図１】
2012058895.tif 000003
【図２】
2012058895.tif 000004
【図３】
2012058895.tif 000005
【図４】
2012058895.tif 000006
【図５】
2012058895.tif 000007